(57)【要約】      （修正有）【課題】単一のサイズのフィルターを購入するだけで、異なるカメラ及びレンズに嵌め込んで使用できるクイックリリース式アダプターリングを提供する。【解決手段】環状ケースと、複数のプッシュボタン２と、歯止め３と、弾性部品４とを備える。環状ケースは内環孔１２と、内環孔に沿って周りを囲むと共に連通される収容室１４３と、環状ケース外周面を径方向に貫通すると共に収容室に連通される複数の径方向貫通孔１４５を有する。プッシュボタンは径方向貫通孔に滑動可能に設置される。歯止めは収容室に枢接され、且つ歯止めの一端がプッシュボタンに当接されて相互に作用する。弾性部品は収容室にそれぞれ枢接され、且つ歯止めに当接されて相互に作用し、歯止めの一端が内環孔に延出されて内環孔の孔径に制限され、他端がプッシュボタンを押して環状ケースの外周縁に延出させる。【選択図】図２
0003198833.tif 000002
【実用新案登録請求の範囲】
【請求項１】
軸方向に貫通する内環孔と、前記内環孔に沿って周りを囲むと共に連通される収容室と、環状ケース外周面を径方向に貫通すると共に前記収容室に連通される複数の径方向貫通孔とを有する環状ケースと、
各々が各前記径方向貫通孔に滑動可能に設置される複数のプッシュボタンと、
各々が前記収容室に稼動状態で枢接され、且つ各々の一端が対応する各前記プッシュボタンにそれぞれ当接されて相互に作用し、他端は前記収容室から選択的に前記内環孔に延出され、前記内環孔の孔径の調節を行う複数の歯止めと、
各々が前記収容室に枢接され、且つ対応する各前記歯止めにそれぞれ当接され、常態では各前記歯止めの一端が前記内環孔に延出されるように保持され、他端が各前記プッシュボタンを押して前記環状ケースの外周縁に延出されるように保持する複数の弾性部材とを備えることを特徴とするクイックリリース式アダプターリング。
【請求項２】
前記環状ケースは、相互に対応すると共に前記内環孔の周りを囲むように形成される前蓋及び後蓋を備え、前記前蓋は、前蓋本体と、前記前蓋本体の内周面に形成される雌ねじと、前記前蓋本体の外周縁の周りを囲むと共に前記収容室を画定させる周壁と、前記前蓋本体に形成される複数の第一ヒンジ接続ピン及び第二ヒンジ接続ピンとを有し、また、各前記径方向貫通孔は前記周壁を貫通して形成され、前記後蓋は前記収容室の上方に蓋をすることを特徴とする、請求項１記載のクイックリリース式アダプターリング。
【請求項３】
前記後蓋は後蓋本体を有し、前記後蓋本体の外周縁は前記周壁の内側面の輪郭に沿って形成され、且つ各前記径方向貫通孔の位置に対応し、複数の翼部が径方向の外に向けて延伸されることを特徴とする、請求項２記載のクイックリリース式アダプターリング。
【請求項４】
各前記プッシュボタンの両端は下押し部及び制限部をそれぞれ有し、前記制限部は前記プッシュボタンの両側に凸設される複数枚の制限板をさらに備え、これにより選択的に前記周壁に当接されて各前記プッシュボタンの位置を限定することを特徴とする、請求項２記載のクイックリリース式アダプターリング。
【請求項５】
各前記弾性部材は各前記第二ヒンジ接続ピンに対応して枢接され、各前記弾性部材の両端が前記周壁及び各前記歯止めにそれぞれ当接されることを特徴とする、請求項２記載のクイックリリース式アダプターリング。
【請求項６】
各前記歯止めは弧状本体と、前記弧状本体の両端に形成される２つのヒンジ接続端及び挟持端とを有し、前記ヒンジ接続端は各前記第一ヒンジ接続ピンに対応して枢接され、前記挟持端は可動状態で前記収容室から前記内環孔に穿設されることを特徴とする、請求項２記載のクイックリリース式アダプターリング。
【請求項７】
前記弧状本体の内側端面には当接部がさらに設けられ、前記当接部はシリカゲル或いは樹脂材質の内の何れか１つ或いはそれらの組み合わせから任意で選択されることを特徴とする、請求項６記載のクイックリリース式アダプターリング。
【請求項８】
前記弧状本体の内側端面には嵌合溝がさらに設けられ、前記当接部が設置されることを特徴とする、請求項７記載のクイックリリース式アダプターリング。
【考案の詳細な説明】
【技術分野】
【０００１】
本考案は、嵌め込み方式により、フィルターを提供し異なる規格のカメラ或いはレンズを連結可能なクイックリリース式アダプターリングに関する。
【背景技術】
【０００２】
カメラでの撮影では、使用者は需要に応じて異なる機能のフィルターを切り替えて使用している。
【考案の概要】
【考案が解決しようとする課題】
【０００３】
しかしながら、前述した従来の技術では、周知のように、レンズ毎にサイズや規格が異なるため、使用者はレンズのサイズに対応するフィルターを他に購入して組み合わせて使用している。これでは、この欠点のために使用者がレンズのサイズ毎にフィルターを購入せねばならず、同じ機能のフィルターを購入することは収納やメンテナンス等のコストの増加に繋がっていた。
【０００４】
そこで、本考案者は上記の欠点が改善可能と考え、鋭意検討を重ねた結果、合理的設計で上記の課題を効果的に改善する本考案のクイックリリース式アダプターリングの提案に到った。
【０００５】
なお、本考案は、以上の従来技術の課題を解決する為になされたものである。即ち、本考案の目的は、クイックリリース式アダプターリングを提供することである。すなわち、嵌め込み方式により、使用者が単一のサイズのフィルターを購入するだけで、異なるカメラ及びレンズに嵌め込んで使用可能にすることである。
【課題を解決するための手段】
【０００６】
上述した課題を解決し、目的を達成するために、本考案に係るクイックリリース式アダプターリングは、軸方向に貫通する内環孔と、前記内環孔に沿って周りを囲むと共に連通される収容室と、環状ケース外周面を径方向に貫通すると共に前記収容室に連通される複数の径方向貫通孔とを有する環状ケースと、各々が各前記径方向貫通孔に滑動可能に設置される複数のプッシュボタンと、各々が前記収容室に可動状態で枢接され、且つ各々の一端が対応する各前記プッシュボタンにそれぞれ当接されて相互に作用し、他端は前記収容室から選択的に前記内環孔に延出され、前記内環孔の孔径の調節を行う複数の歯止めと、各々が前記収容室に枢接され、且つ対応する各前記歯止めにそれぞれ当接され、常態では各前記歯止めの一端が前記内環孔に延出されるように保持され、他端が各前記プッシュボタンを押して前記環状ケースの外周縁に延出されるように保持する複数の弾性部材とを備えることを特徴とする。
【考案の効果】
【０００７】
上述の部材の組み合わせにより、フィルターがロックされた後、異なる規格のカメラ或いは違うサイズのレンズに迅速に連結させる目的が達成される。
【図面の簡単な説明】
【０００８】
【図１】本考案の外観斜視図である。
【図２】図１に示す第１実施形態の展開図である。
【図３】図１に示す第１実施形態の断面図である。
【図４】本考案の実施形態の概念図である。
【図５】図４に示す一実施形態の断面図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
＜第１実施形態＞
以下、第１実施形態を図１〜５に基づいて説明する。本考案に係るクイックリリース式アダプターリング１００は、環状ケース１と、環状ケース１の外周縁に可動状態で延出される複数のプッシュボタン２と、環状ケース１の内周縁に可動状態で延出されると共に各プッシュボタン２と相互に作用する複数の歯止め３と、環状ケース１に収納されると共に歯止め３と相互に作用する複数の弾性部品４とを備える。上述の部材の組み合わせにより、フィルターＡを規格が異なるカメラＰ１或いはレンズＰ２に迅速に連結させる目的が達成される。
【００１１】
上述の環状ケース１は、軸方向に貫通する内環孔１２を有し、相互に対合すると共に内環孔１２の周りを囲むように形成される前蓋１４及び後蓋１６を備える。
【００１２】
また、前記前蓋１４は前蓋本体１４１と、前蓋本体１４１の内周面に形成される雌ねじ１４２と、前蓋本体１４１の外周縁の周りを囲むと共に収容室１４３を画定させる周壁１４４と、周壁１４４を貫通するように形成されると共に収容室１４３及び外部に連通される複数の径方向貫通孔１４５と、前蓋本体１４１に形成されると共に収容室１４３内に収納される複数の第一ヒンジ接続ピン１４６及び第二ヒンジ接続ピン１４７とを有する。
【００１３】
なお、前記後蓋１６は後蓋本体１６１を有し、前記後蓋本体１６１の外周縁は周壁１４４の内側面の輪郭に沿って形成され、且つ各径方向貫通孔１４５の位置に対応し、径方向に外に向けて複数のはみ出し部１６２が延伸される。
【００１４】
上述のプッシュボタン２は、上端と底端の両端に下押し部２１及び制限部２２をそれぞれ有する。前記制限部２２はプッシュボタン２の両側に凸設される制限板２２１及び制限板２２２を備える。実施においては、プッシュボタン２が前蓋１４の収容室１４３に収納され、且つ下押し部２１が径方向貫通孔１４５を通して前蓋１４の外周縁に延出され、各制限板２２１及び制限板２２２は選択的に径方向貫通孔１４５の両側の周壁１４４にそれぞれ当接され、プッシュボタン２が径方向貫通孔１４５から外へ出ないように制限する。
【００１５】
上述の歯止め３は収容室１４３に収納され、弧状本体３１を有し、前記弧状本体３１の両端にはヒンジ接続端３２及び挟持端３３をそれぞれ有する。ヒンジ接続端３２が第一ヒンジ接続ピン１４６に対応して枢接され、他端の挟持端３３が収容室１４３から稼動状態で内環孔１２に貫入される。実施例においては、弧状本体３１の内側端面３４には嵌合溝(図中では符号無し)が選択的に凹設され、当接部３５を嵌設させるか、或いは嵌合溝を省略して粘着方式によって設置される。前記当接部３５はシリカゲル或いは樹脂材質等の内の何れか１つ或いはそれらの組み合わせから任意で選択される。
【００１６】
上述の弾性部品４は第二ヒンジ接続ピン１４７に対応して収容室１４３に収納され、弾性部品４の両端が周壁１４４及び歯止め３にそれぞれ当接され、常態では歯止め３のヒンジ接続端３２によりプッシュボタン２が押され、他端の挟持端３３が収容室１４３から環状ケース１の内環孔１２に延出され、選択的に内環孔１２の孔径を収縮させる。
【００１７】
従って、以上が本考案の好ましい実施形態に係るクイックリリース式アダプターリングの各機構の説明であり、続いて本考案の装設方式及び使用の特徴を説明する。
【００１８】
まず、図４、図５に示すように、使用者が環状ケース１の雌ねじ１４２により必要なフィルターＡを螺合させ、カメラＰ１のレンズＰ２と組み合わせる場合、各プッシュボタン２を押すことで、歯止め３のヒンジ接続端３２を押圧し、歯止め３が第一ヒンジ接続ピン１４６を軸心として擺動し、且つ弾性部品４を圧縮させて蓄圧させる。歯止め３の挟持端３３が歯止め３の運動により内環孔１２から縮退して収容室１４３に没入し、環状ケース１の内環孔１２の箇所を最大孔径の状態に保持させる(或いは、組み合わせるカメラＰ１のレンズＰ２のサイズより大きくする)。
【００１９】
続いて、環状ケース１を内環孔１２によりカメラＰ１のレンズＰ２に被装させた後に各プッシュボタン２を解放し、各歯止め３が対応する各弾性部品４の回復力によりそれぞれ当接され、歯止め３のヒンジ接続端３２がプッシュボタン２に当接されて径方向貫通孔１４５から突出する。他端の挟持端３３は収容室１４３から環状ケース１の内環孔１２に延出され、且つ歯止め３の内側端面３４(当接部３３)がカメラＰ１のレンズＰ２の外周縁に当接されて挟持され、フィルターＡとカメラＰ１のレンズＰ２との組み合わせを実現する。 
【００２０】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００２１】
１００  クイックリリース式アダプターリング
１  環状ケース
１２  内環孔
１４  前蓋
１４１  前蓋本体
１４２  雌ねじ
１４３  収容室
１４４  周壁
１４５  径方向貫通孔
１４６  第一ヒンジ接続ピン
１４７  第二ヒンジ接続ピン
１６  後蓋
１６１  後蓋本体
１６２  翼部
２  プッシュボタン
２１  下押し部
２２  制限部
２２１  制限板
２２２  制限板
３  歯止め
３１  弧状本体
３２  ヒンジ接続端
３３  挟持端
３４  内側端面
３５  当接部
４  弾性部品
Ａ  フィルター
Ｐ１  カメラ
Ｐ２  レンズ
【図１】
0003198833.tif 000003
【図２】
0003198833.tif 000004
【図３】
0003198833.tif 000005
【図４】
0003198833.tif 000006
【図５】
0003198833.tif 000007